(57)【要約】【課題】電線に対して短時間で取り付けることができるようにして、取り付け作業の効率化を図ることのできる電線保護管を提供する。【解決手段】互いに組み合わされることによって電線Ｌの外側を覆う筒状体となる一対の半筒体１２，１４で電線保護管１０を構成する。そして、少なくとも一方の半筒体１２が有する一方の端部における、組み合わされる別の電線保護管１０に対向する面に、当該面から突出する一対の突起部７０を半筒体１２の仮想中心点Ｃを中心として互いに対称な位置に形成する。そして、少なくとも一方の半筒体１２が有する他方の端部に、別の電線保護管１０に形成された一対の突起部７０が嵌まる一対の嵌合部６５を形成する。【選択図】図１１
2020054036.tif 000002
【特許請求の範囲】
【請求項１】
互いに組み合わされることによって電線の外側を覆う筒状体となる一対の半筒体を備える電線保護管であって、
少なくとも一方の前記半筒体が有する一方の端部における、組み合わされる別の前記電線保護管に対向する面には、当該面から突出する一対の突起部が前記半筒体の仮想中心点を中心として互いに対称な位置に形成されており、
少なくとも一方の前記半筒体が有する他方の端部には、別の前記電線保護管に形成された一対の前記突起部が嵌まる一対の嵌合部が形成されている
電線保護管。
【請求項２】
前記嵌合部は、前記突起部が前記嵌合部内を移動できる大きさに形成されている
請求項１に記載の電線保護管。
【請求項３】
前記突起部が形成される前記半筒体における一方の前記端部の外径は、前記嵌合部が形成される前記半筒体における他方の前記端部の内径よりも小さく形成されている
請求項１または２に記載の電線保護管。
【請求項４】
電線に取り付けられた状態で鉛直方向の下側に位置する前記半筒体には水抜部が形成されており、
前記水抜部は、水抜孔と、前記半筒体の内側であって前記水抜孔に対応する位置に配置された水抜孔カバーとを有している
請求項１から３のいずれか１項に記載の電線保護管。
【請求項５】
前記水抜部における前記水抜孔カバーの内面からはリブが突設されている
請求項４に記載の電線保護管。
【請求項６】
少なくとも一方の前記半筒体の内面には、長手方向に延びるリブが設けられており、
前記リブの端部は、前記リブの高さが前記半筒体の中央部から離れるにつれて漸減する形状となっている
請求項１から５のいずれか１項に記載の電線保護管。
【請求項７】
少なくとも一方の前記半筒体の内面には電線のガイドが設けられており、
前記ガイドは、中央部と一対の端部とを有しており、
前記端部は、前記中央部から離れるにしたがって前記半筒体の長手方向に直交する幅方向の中心から離間する方向に延びる形状であることを特徴とする
請求項１から６のいずれか１項に記載の電線保護管。
【発明の詳細な説明】
【技術分野】
【０００１】
本発明は、架線を介して電車に電力を供給する電線等に取り付ける保護管に関する。
【背景技術】
【０００２】
従前より、様々な種類の電線保護管が開発されており、例えば、特許文献１から４には、水抜孔を備える電線保護管が示されている。
【０００３】
また、電線に電線保護管を取り付ける際は、当該電線保護管を１本ずつ電線に取り付けていき、互いに隣り合う電線保護管同士を連結し、電線からの脱落を防止するためのバインド線（被覆付針金）を各電線保護管の端部における重ね合わせ部に巻き付けて、電線保護管が電線から脱落するのを防止していた。
【先行技術文献】
【特許文献】
【０００４】
【特許文献１】実開昭５６−１２０７２７号公報
【特許文献２】実開昭６１−１４１２９号公報
【特許文献３】実開昭６３−１３３３６号公報
【特許文献４】実開昭６３−１３３３７号公報
【発明の概要】
【発明が解決しようとする課題】
【０００５】
しかしながら、電線保護管を１本ずつ高所に張架された電線に取り付けていく作業は時間がかかりすぎることから、時間的およびコスト的なデメリットが大きいという問題があった。
【０００６】
本発明は、このような課題に鑑みてなされたものであり、その目的は、電線に対して短時間で取り付けることができるようにして、取り付け作業の効率化を図ることのできる電線保護管を提供することにある。
【課題を解決するための手段】
【０００７】
本発明の一局面によれば、
少なくとも一方の前記半筒体が有する一方の端部における、組み合わされる別の前記電線保護管に対向する面には、当該面から突出する一対の突起部が前記半筒体の仮想中心点を中心として互いに対称な位置に形成されており、
少なくとも一方の前記半筒体が有する他方の端部には、別の前記電線保護管に形成された一対の前記突起部が嵌まる一対の嵌合部が形成されている
電線保護管が提供される。
【０００８】
好適には、前記嵌合部は、前記突起部が前記嵌合部内を移動できる大きさに形成されている。
【０００９】
好適には、前記突起部が形成される前記半筒体における一方の前記端部の外径は、前記嵌合部が形成される前記半筒体における他方の前記端部の内径よりも小さく形成されている。
【００１０】
好適には、電線に取り付けられた状態で鉛直方向の下側に位置する前記半筒体には水抜部が形成されており、前記水抜部は、水抜孔と、前記半筒体の内側であって前記水抜孔に対応する位置に配置された水抜孔カバーとを有している。
【００１１】
好適には、前記水抜部における前記水抜孔カバーの内面からはリブが突設されている。
【００１２】
好適には、少なくとも一方の前記半筒体の内面には、長手方向に延びるリブが設けられており、前記リブの端部は、前記リブの高さが前記半筒体の中央部から離れるにつれて漸減する形状となっている。
【００１３】
好適には、少なくとも一方の前記半筒体の内面には電線のガイドが設けられており、前記ガイドは、中央部と一対の端部とを有しており、前記端部は、前記中央部から離れるにしたがって前記半筒体の長手方向に直交する幅方向の中心から離間する方向に延びる形状である。
【発明の効果】
【００１４】
本発明によれば、電線保護管を電線に取り付ける際、第１の電線保護管における一方の端部の外面に対して、別の第２の電線保護管における他方の端部の内面を合わせて、第１の電線保護管に設けられており外向きに延びる一対の突起部を第２の電線保護管に形成された一対の嵌合部に嵌め込む。あるいは、第１の電線保護管における一方の端部の内面に対して、別の第２の電線保護管における他方の端部の外面を合わせて、第１の電線保護管に設けられており内向きに延びる一対の突起部を第２の電線保護管に形成された一対の嵌合部に嵌め込む。
【００１５】
これにより、第１の電線保護管における一方の半筒体と、第２の電線保護管における一方の半筒体とをまとめて動かすことが可能となり、電線を挟み込むようにして一対の半筒体を閉じる動作をまとめて行うことができる。
【００１６】
このように一対の半筒体を閉じる動作を２つの電線保護管でまとめて行うことにより、電線に対して短時間で取り付けることができ、取り付け作業の効率化を図ることのできる電線保護管を提供することができた。
【図面の簡単な説明】
【００１７】
【図１】本発明が適用された電線保護管１０の正面図である。
【図２】本発明が適用された電線保護管１０の背面図である。
【図３】本発明が適用された電線保護管１０の平面図である。
【図４】本発明が適用された電線保護管１０の底面図である。
【図５】本発明が適用された電線保護管１０の右側面図である。
【図６】本発明が適用された電線保護管１０の左側面図である。
【図７】本発明が適用された電線保護管１０の斜視図である。
【図８】電線保護管１０を電線Ｌに取り付けた状態を示す図である。
【図９】電線保護管１０を電線Ｌに取り付けた状態を示す斜視図である。
【図１０】図８のＡ−Ａ線端面図である。
【図１１】一対の電線保護管１０の結合部分を示す拡大図である。
【図１２】角度を付けて一対の電線保護管１０を結合させた状態を示す図である。
【図１３】変形例１に係る、一対の電線保護管１０の結合部分を示す拡大図である。
【発明を実施するための形態】
【００１８】
（電線保護管１０の構成）
図１から図７は、本発明が適用された実施形態に係る電線保護管１０を示す。この電線保護管１０は、電気的絶縁特性を有する樹脂等で形成された一対の半筒体１２，１４で構成されており、これら半筒体１２，１４が互いに組み合わされることによって電線Ｌの外側を覆う筒状体としての電線保護管１０となる。両半筒体１２，１４は互いに対向する端縁（半筒体１２，１４の長手方向に直交する方向の内側端縁）同士が互いに接続され、一体的に形成されている。なお、一対の半筒体１２，１４同士を折り返して組み合わせる動作を容易にするため、半筒体１２と半筒体１４との間にヒンジ部分を設けてもよい。
【００１９】
図８に示すように、本実施形態において、一方の半筒体１２は、電線保護管１０として電線Ｌに取り付けられた状態で鉛直方向の上側に位置する部材であり、他方の半筒体１４は、同様に、電線保護管１０として電線Ｌに取り付けられた状態で鉛直方向の下側に位置する部材となっている。
【００２０】
なお、両半筒体１２，１４は、基本的に互いに線対称に形成されている。そこで、以下では半筒体１２の構成について詳細に説明し、半筒体１４については基本的に半筒体１２についての説明を援用して半筒体１２と異なる部分についてのみ説明する。
【００２１】
図１から図７に戻り、半筒体１２は、大略、本体部２０と、この本体部２０の長手方向における一方の端部に形成された結合部２２と、本体部２０の長手方向における他方の端部に形成された被結合部２４とを有しており、これらが一体となって半筒体１２を構成している。もちろん、本体部２０や結合部２２や被結合部２４をそれぞれ別体として形成し、然る後、接着等の手段で組み合わせて半筒体１２を構成してもよい。
【００２２】
本体部２０は、長手方向に延びる半筒状の部材である。本実施例において、本体部２０は「丸筒状」に形成されているが、もちろんこれに限定されるものではなく、「角筒状」や「多角形筒状」に形成されてもよい。つまり、「筒状」や「半筒状」とは、「角筒」、「丸筒」、あるいは「多角形筒」その他すべてを含む概念である。
【００２３】
この本体部２０には、リブ５０、補強リブ５２、ガイド５４、および、係着部５５が形成されている。
【００２４】
リブ５０は、本体部２０の内面から突設され、半筒体１２の長手方向に延びる板状の部分であり、本実施形態では、２本のリブ５０が互いに平行な位置に設けられている。このリブ５０は、電線Ｌに取り付けた状態の電線保護管１０を移動させる際に当該電線Ｌをガイドする役割を有している。もちろん、リブ５０の数はこれに限定されるものではない。
【００２５】
また、各リブ５０の長手方向の端は、本体部２０と結合部２２、あるいは、本体部２０と被結合部２４との境界付近に設定されている。さらに、図９に示すように、各リブ５０の端部５６は、その高さ（本体部２０の内面からリブ５０の長手方向に直交する方向の先端までの距離）が本体部２０の中央部から離れるにつれて漸減する形状に形成されている。
【００２６】
これにより、電線Ｌに取り付けた状態の電線保護管１０を移動させる際、電線Ｌに取り付けられた均圧金具Ｅ等に電線保護管１０のリブ５０が引っかかるおそれを低減し、電線保護管１０を電線Ｌに対してスムーズに移動させることができる。
【００２７】
図１から図７に戻り、補強リブ５２は、本体部２０の内面から突設され、半筒体１２の長手方向に直交する方向に延びる板状の部分（つまり、リブ５０に直交する板状部分）であり、本実施形態では、４本の補強リブ５２が互いにほぼ均等な間隔で配置されている。もちろん、補強リブ５２の数はこれに限定されるものではない。また、各補強リブ５２は互いに平行な位置に設けられている。さらに、各補強リブ５２の高さ（本体部２０の内面から補強リブ５２の長手方向に直交する方向の先端までの距離）は、上述したリブ５０の高さよりも低く設定されている。
【００２８】
ガイド５４は、リブ５０と同様に、電線Ｌに取り付けた状態の電線保護管１０を移動させる際に当該電線Ｌをガイドする役割を有しており、本実施形態では、一対のリブ５０を介して互いに対向する２つ一セットのガイド５４が、全部で４セット設けられている。もちろん、ガイド５４の数はこれに限定されるものではない。
【００２９】
各ガイド５４は、大略、中央部５８と、一対の端部６０とで構成されている。中央部５８は、半筒体１２の長手方向に延びる部分である。一対の端部６０は、中央部５８の両端からそれぞれ続く部分であり、中央部５８から離れるにしたがって半筒体１２の長手方向に直交する幅方向の中心から離間する方向に延びるようになっている。
【００３０】
また、各ガイド５４は、それぞれの中央部５８の略中央位置が補強リブ５２に一致する位置に形成されている。もちろん、各ガイド５４を補強リブ５２から離間した位置に形成してもよい。
【００３１】
係着部５５（特に図５参照）は、一対の半筒体１２，１４を互いに組み合わせた状態を維持するための部分であり、本実施形態では、半筒体１２の本体部２０における、半筒体１４に接続されている端とは反対側の端部において、半筒体１２の長手方向に沿って４つの孔で構成されており、これら孔が係着部５５を構成する係着雌部６２となる。
【００３２】
結合部２２は、他の電線保護管１０を構成する半筒体１２の被結合部２４を覆うようにして取り付けられる部分であり、結合突部６４と、嵌合部６５とを備えている。
【００３３】
結合突部６４は、結合部２２における長手方向外側端部の内面において、他の半筒体１２の被結合部２４と互いに結合するように形成されている。この結合突部６４は、半筒体１２の長手方向に直交する方向の全体にわたって形成されている。この結合突部６４により、一対の半筒体１２，１４を互いに組み合わせて電線保護管１０を構成したときに、結合部２２が形成された方の端部における電線保護管１０の内径は、当該電線保護管１０の標準内径（半筒体１２，１４における各本体部２０の各内面間の距離）よりも小さくなる。
【００３４】
なお、本実施形態において、半筒体１２の外面における結合部２２の結合突部６４に対応する位置に凹み６６が形成されているが、この凹み６６は必須ではなく、外面における結合部２２の結合突部６４に対応する位置と他の位置との違いを無くしてもよい。
【００３５】
嵌合部６５は、結合部２２における結合突部６４が形成された位置よりもさらに半筒体１２の長手方向中心部寄りに形成された孔であり、本実施形態では、半筒体１２における長手方向に直交する方向の両端部にそれぞれ形成されている。また、本実施形態における各嵌合部６５は、半筒体１２の長手方向に沿って延びる長孔に形成されている。なお、嵌合部６５は、本実施形態のような孔に限定されるものではなく、例えば、半筒体１２の内面に形成された凹部であってもよい。
【００３６】
被結合部２４は、上述のように、他の電線保護管１０を構成する半筒体１２の結合部２２によって覆われる部分であり、結合凹部６８と、突起部７０とを備えている。本実施形態において、被結合部２４の外径は、結合部２２の内径よりも小さく形成されている。これにより、被結合部２４の外面と、結合部２２の内面との間に所定のクリアランス（隙間）が生じることになる。
【００３７】
結合凹部６８は、被結合部２４における長手方向外側端部の外面において、他の半筒体１２の結合部２２における結合突部６４が嵌め込まれて互いに結合するように形成されている。この結合凹部６８は、半筒体１２の長手方向に直交する方向の全体にわたって形成されている。この結合凹部６８により、一対の半筒体１２，１４を互いに組み合わせて電線保護管１０を構成したときに、結合凹部６８が形成された方の端部における電線保護管１０の内径は、当該電線保護管１０の標準内径（半筒体１２，１４における各本体部２０の各内面間の距離）よりも小さくなる。
【００３８】
なお、本実施形態において、半筒体１２の長手方向における結合凹部６８の幅は、結合部２２に形成された結合突部６４における同方向の幅よりも広く形成されている。
【００３９】
また、半筒体１２，１４の肉厚が比較的厚い場合は、結合凹部６８を形成しても、当該結合凹部６８に対応する電線保護管１０の内径が当該電線保護管１０の標準内径と同等になるようにしてもよい。
【００４０】
突起部７０は、被結合部２４における結合凹部６８よりもさらに半筒体１２の端縁側における外面から外方に突設された部分であり、一対の電線保護管１０を組み合わせたときに結合部２２に形成された嵌合部６５に嵌め込まれるようになっている。また、本実施形態では、一対の突起部７０が形成されており、これら突起部７０は、半筒体１２の仮想中心点Ｃ（特に図４参照）を中心として互いに対称な位置にそれぞれ形成されている。さらに、本実施形態において、突起部７０は、対応する嵌合部６５に嵌め込まれた状態において、当該嵌合部６５内である程度動くことができる程度に嵌合部６５よりも小さく設定されている。
【００４１】
なお、「半筒体１２の仮想中心点Ｃ」とは、電線保護管１０の長手方向に直交する仮想平面が、筒状である当該電線保護管１０の仮想中心軸と交わる位置（点）のことである。
【００４２】
次に、半筒体１４の構造について説明する。半筒体１４も、半筒体１２と同様、本体部２０と、結合部２２と、被結合部２４とを有している。
【００４３】
半筒体１４における本体部２０は、リブ５０、補強リブ５２、係着部５５、および、水抜部８０を有している。なお、半筒体１４には、ガイド５４は形成されていない。
【００４４】
半筒体１４における係着部５５（特に図６参照）は、本実施形態では、半筒体１４の本体部２０における、半筒体１２に接続されている端とは反対側の端部において、半筒体１４の長手方向に沿って当該半筒体１４の外面に４つの突部で構成されており、これら突部が係着部５５を構成する係着雄部７２となる。
【００４５】
水抜部８０は、電線保護管１０の端から内部に浸入した雨水などを外へ排出する機能を有する部分である。上述のように、半筒体１４は、電線保護管１０として電線Ｌに取り付けられた状態で鉛直方向の下側に位置することから、このような水抜部８０が設けられている。
【００４６】
この水抜部８０は、大略、水抜孔８２と、水抜孔カバー８４と、カバーサポート８６とを備えている。
【００４７】
水抜孔８２は、半筒体１４の本体部２０の内部と外部とを連通する長孔である。本実施形態では、半筒体１４に設けられた４つの補強リブ５２同士にある３箇所の間において、半筒体１４の長手方向に延びる水抜孔８２が各間に３つずつ、互いに平行な位置に形成されている。
【００４８】
また、半筒体１４の結合部２２においても、半筒体１４の長手方向に延びるやや短い長孔である水抜孔８２が３つ、互いに平行な位置に形成されている。さらに、半筒体１４の被結合部２４においては、半筒体１４の長手方向に直交する方向に延びる矩形状の孔である水抜孔８２が１つ形成されている。
【００４９】
もちろん、本実施形態に係る水抜孔８２の数、位置、および形状等は単なる例示であり、電線保護管１０の内部に浸入した雨水などを排出できるものであれば、水抜孔８２の数、位置、および形状等は特に限定されない。
【００５０】
水抜孔カバー８４は、上述した各水抜孔８２に対応してそれぞれ半筒体１４の内面よりもやや半筒体１４の仮想中心側に離間して設けられた板状部材である。このような水抜孔カバー８４が存在することにより、半筒体１４の外面を正面から見たとき、各水抜孔８２は、対応する水抜孔カバー８４によってほぼ塞がれているように見える。しかし、水抜孔カバー８４と半筒体１４の内面との間は互いに離間しているので、半筒体１４の外面を斜めから見ると隙間が見え、この隙間から雨水などが排出されるようになっている。
【００５１】
ところで、４つの補強リブ５２同士における３箇所の間に３つずつ配置された水抜孔カバー８４の内、中央の水抜孔カバー８４を除く両外側の水抜孔カバー８４は、半筒体１４に設けられたリブ５０における半筒体１４の内面側端に接続されている。換言すれば、水抜孔カバー８４の内面中央部からリブ５０が突出するようになっている。
【００５２】
これにより、図１０に示すように、電線Ｌの周辺にある樹木の枝Ｎ等の先端が誤って水抜孔８２に入ってしまった場合であっても、水抜孔カバー８４によって樹木の枝Ｎ等の先端が充電部である電線Ｌに接触することを回避できる。さらに、樹木の枝Ｎ等が水抜孔カバー８４と半筒体１４の内面との間の隙間を介して電線保護管１０内に入ってしまった場合であっても、樹木の枝Ｎ等の先端が充電部である電線Ｌに接触するより先にリブ５０の側面に当たるので、地絡や漏電等の事故を回避できる可能性を高めることができる。
【００５３】
図１から図７に戻り、カバーサポート８６は、一端が半筒体１４の内面に接続されており、他端が各水抜孔カバー８４の側面に接続された部材であり、上述のように、各水抜孔カバー８４が対応する水抜孔８２に対応して半筒体１４の仮想中心側に離間した状態を保持する役割を有している。
【００５４】
上述のように、半筒体１４は、半筒体１２と同様、結合部２２および被結合部２４を有しているが、本実施形態において、半筒体１４の結合部２２には嵌合部６５が形成されていない。また、半筒体１４の被結合部２４には突起部７０が形成されていない。
【００５５】
（電線保護管１０の使用手順）
次に、上述した本実施形態に係る電線保護管１０を電線Ｌに取り付ける手順について簡単に説明する。
【００５６】
図１１に示すように、電線保護管１０を電線Ｌに取り付ける際、第１の電線保護管１０（図中右側の電線保護管１０）における被結合部２４の外面に対して、別の第２の電線保護管１０（図中左側の電線保護管１０）における結合部２２の内面を合わせて、第１の電線保護管１０における被結合部２４の外面に形成された結合凹部６８に、第２の電線保護管１０における結合部２２の内面に形成されたに結合突部６４を嵌め込む。さらに、第１の電線保護管１０に設けられており外向きに延びる一対の突起部７０を第２の電線保護管１０に形成された一対の嵌合部６５に嵌め込む。
【００５７】
これにより、第１の電線保護管１０における一方の半筒体１２と、第２の電線保護管１０における一方の半筒体１２とをまとめて動かすことが可能となり、電線Ｌを挟み込むようにして一対の半筒体１２を閉じる動作をまとめて行うことができる。
【００５８】
電線Ｌに対して２つまとめて電線保護管１０を取り付けた後は、取り付けた電線保護管１０を電線Ｌに沿って送り出し、次の電線保護管１０を２つまとめて同様に取り付けていく。もちろん、直前に取り付けた電線保護管１０の被結合部２４に、新しく取り付ける電線保護管１０の結合部２２を取り付けていることになる。
【００５９】
（電線保護管１０の特徴）
このように一対の半筒体１２を閉じる動作を２つまとめて行うことにより、電線Ｌに対して短時間で取り付けることができ、取り付け作業の効率化を図ることのできる電線保護管１０を提供することができる。
【００６０】
また、本実施形態に係る電線保護管１０では、半筒体１２，１４における被結合部２４の外径は、結合部２２の内径よりも小さく形成されており、被結合部２４に形成された結合凹部６８の幅は、結合部２２に形成された結合突部６４の同方向における幅よりも広く形成されており、かつ、被結合部２４に形成された突起部７０は、対応する長孔の嵌合部６５に嵌め込まれた状態において当該嵌合部６５内である程度動くことができる程度の大きさに設定されている。
【００６１】
これにより、一対の電線保護管１０を組み合わせた状態において、結合凹部６８と結合突部６４との間、および、突起部７０と嵌合部６５との間にクリアランスが生じることから、このクリアランスの範囲内で、一方の電線保護管１０が突起部７０を中心として他方の電線保護管１０に対して回動可能となり、図１２に示すように、一対の電線保護管１０が結合する角度を変えることによって互いに結合する複数の電線保護管１０を電線Ｌの弛度に追従させることができる。
【００６２】
（変形例１）
上述の実施形態では、結合部２２に結合突部６４が形成され、かつ、被結合部２４に結合凹部６８が形成されているが、これに変えて、図１３に示すように、結合突部６４および結合凹部６８を形成しないようにしてもよい。
【００６３】
ただし、上述した実施形態のように結合突部６４および結合凹部６８を形成する方が、何らかの理由で突起部７０が破損した場合であっても一対の電線保護管１０が互いに離間してしまうのを回避できる点で好適である。
【００６４】
（変形例２）
上述の実施形態において、半筒体１４の結合部２２には嵌合部６５が形成されておらず、また、半筒体１４の被結合部２４には突起部７０が形成されていないが、これに変えて、半筒体１４にも嵌合部６５や突起部７０を形成してもよいし、逆に、嵌合部６５や突起部７０を半筒体１４のみに形成し、半筒体１２には形成しないようにしてもよい。
【００６５】
（変形例３）
また、図７に示すように、上述した実施形態に係る電線保護管１０の外面には、半筒体１２，１４が不所望に開いてしまうのを防止するＣ字状金具を嵌め込む金具用溝９０が半筒体１４から半筒体１２にかけて形成されているが、この金具用溝９０は形成しなくてもよい。
【００６６】
（変形例４）
上述した実施形態では、一対の突起部７０が電線保護管１０の被結合部２４において外向きに延びるように形成されていたが、これに変えて、一対の突起部７０を内向きに延びるように形成してもよい。つまり、一対の突起部７０を半筒体１２における結合部２２の内面から突出するように形成し、これに対応する一対の嵌合部６５を半筒体１２における被結合部２４に形成してもよい。この場合、図示しないが、第１の電線保護管１０における被結合部２４の外面に対して、別の第２の電線保護管１０における結合部２２の内面を合わせて、第２の電線保護管１０における結合部２２に設けられており内向きに延びる一対の突起部７０を、第１の電線保護管１０における被結合部２４に形成された一対の嵌合部６５に嵌め込むことになる。
【００６７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６８】
１０…電線保護管、１２…（一方の）半筒体、１４…（他方の）半筒体
２０…本体部、２２…結合部、２４…被結合部
５０…リブ、５２…補強リブ、５４…ガイド、５５…係着部、５６…（リブ５０の）端部、５８…（ガイド５４の）中央部、６０…（ガイド５４の）端部、６２…係着雌部、６４…結合突部、６５…嵌合部、６６…凹み、６８…結合凹部、７０…突起部、７２…係着雄部
８０…水抜部、８２…水抜孔、８４…水抜孔カバー、８６…カバーサポート
９０…金具用溝
Ｌ…電線、Ｅ…均圧金具、Ｃ…（半筒体１２，１４の）仮想中心点、Ｎ…樹木の枝
【図１】
2020054036.tif 000003
【図２】
2020054036.tif 000004
【図３】
2020054036.tif 000005
【図４】
2020054036.tif 000006
【図５】
2020054036.tif 000007
【図６】
2020054036.tif 000008
【図７】
2020054036.tif 000009
【図８】
2020054036.tif 000010
【図９】
2020054036.tif 000011
【図１０】
2020054036.tif 000012
【図１１】
2020054036.tif 000013
【図１２】
2020054036.tif 000014
【図１３】
2020054036.tif 000015